【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
筆記用具であって、
筆記媒体リザーバと、
ペン先と、
前記筆記用具の部品と関連した高吸収性ポリマーとを有し、
該高吸収性ポリマーが、
前記筆記用具の望ましい部分から前記筆記用具内の望ましくない部分又は前記筆記用具の外部への筆記媒体の漏れを阻止するのに十分な量存在し、
周囲環境下で前記筆記媒体を実質的に非可逆的に吸収する、
筆記用具。
【請求項２】
前記高吸収性ポリマーは、スターチ、セルロース系ポリマー、ポリ（アクリルアミド）、ポリ（アルクアクリルアミド）、ポリ（アクリレート）、ポリ（アルキルアクリレート）、ポリ（アルキルアルクアクリレート）、ポリ（ヒドロキシ官能化アルクアクリレート）、ポリ（アクリル酸）、少なくとも部分的に中和されたポリ（アクリル酸）、少なくとも部分的に鹸化されたポリ（アクリル酸）、ポリ（アルクアクリル酸）、少なくとも部分的に中和されたポリ（アルクアクリル酸）、少なくとも部分的に鹸化されたポリ（アルクアクリル酸）、ポリ（ビニルアルコール）、ポリ（アクリロニトリル）、ポリ（アルクアクリロニトリル）、ポリ（ビニルアセテート）、ポリ（アルキレンオキシド）、ポリ（エチレンオキシド）、無水マレイン酸繰返し単位を含むポリマー、上述の成分の少なくとも１つ又はその繰返し単位を含むコポリマー、これらの混合物又は配合物から成る群から選択される、請求項１記載の筆記用具。
【請求項３】
前記筆記用具の前記部品は、前記筆記媒体リザーバ、前記ペン先、一時的インク貯蔵領域、端栓、ポイント支持体又は前側ノーズコーンのうち少なくとも１つを有する、請求項１記載の筆記用具。
【請求項４】
前記一時的インク貯蔵領域は、
前記ペン先と前記筆記媒体リザーバとの間に設けられ、
前記筆記媒体リザーバ内の空気圧の増大に起因して生じる異常に多い筆記媒体の流れを貯蔵するように構成されたバッフルを有し、前記バッフルが、
インク移送部材が貫通する軸方向ボアと、
複数の互いに間隔を置いた環状要素又はフィンとを有し、これらの間には、前記筆記媒体を一時的に貯蔵することができる環状空間が形成され、
前記フィンを長手方向に延びる幅の狭いスリットを有し、該スリットが、前記インク移送部材を介して前記筆記媒体リザーバから前記環状空間に前記筆記媒体を連絡させ、前記環状空間を互いに連通させるためのインク溝を構成し、
前記フィンに長手方向に形成された、前記インク溝よりも幅が広い溝を有し、該溝が、前記筆記媒体が消費されたときに空気を前記バッフルに設けられた空気抜き穴から前記筆記媒体リザーバに連通させるための空気溝を構成し、
前記高吸収性ポリマーは、前記バッフルに沿った、通常の筆記中、前記筆記媒体リザーバから前記ペン先への前記筆記媒体の流れを邪魔しない場所に設けられている、
請求項３記載の筆記用具。
【請求項５】
内面領域を備えた一時的インク貯蔵体を有し、
前記高吸収性ポリマーは、
前記一時的インク貯蔵領域の内面の少なくとも一部に被着された被膜、
前記筆記用具の少なくとも１つの部品と接触し、又はそのすぐ隣りに設けられ、或いは、任意にこれにくっ付けられて配置された、あらかじめ製作された異形部品、
前記筆記用具の少なくとも１つの部品を構成する材料、
前記一時的インク貯蔵領域又はその部分の境界部の内面と接触し又はそのすぐ隣りに設けられ、或いは、任意にこれにくっ付けられて配置された、ぎっしり詰まった状態の粒子、ぎっしり詰まった状態の粉末、ぎっしり詰まった状態のグラニュール又はゼラチン状の高吸収性材料の塊状体
のうちの１つ又は2つ以上として設けられ、
前記高吸収性ポリマーは、通常の筆記用具の使用中、前記筆記媒体リザーバから前記ペン先への前記筆記媒体の所望の連通又は流れを実質的に邪魔しない、
請求項１記載の筆記用具。
【請求項６】
内面及び外面を備え、前記筆記用具の少なくとも前記ペン先を覆って着脱自在に設けられた筆記用具キャップを更に有し、前記内面は、前記筆記用具が使用されていないときに前記ペン先を覆い、
前記高吸収性ポリマーは、前記筆記用具キャップの前記内面からの前記筆記媒体の異常な又は望ましくない漏れを阻止するのに十分な量、前記筆記用具キャップの前記内面と関連している、
請求項１記載の筆記用具。
【請求項７】
前記高吸収性ポリマーによって吸収されるようになる前記筆記媒体のうち約１０％以下を、温度及び又は圧力を外部から加えることなしに、放出可能である、請求項１記載の筆記用具。
【請求項８】
前記高吸収性ポリマーは、ポリマー１グラム当たり少なくとも約１００グラムの水の吸収度、及び又は、ポリマー１グラム当たり少なくとも約２０グラムの筆記媒体の吸収度を有する、請求項１記載の筆記用具。
【請求項９】
前記筆記用具内に入れられる前記筆記媒体の最大量と前記筆記用具内の前記高吸収性ポリマーの総量との比は、少なくとも約５：１である、請求項１記載の筆記用具。
【請求項１０】
手持ちであり、及び又は、指操作可能である、請求項１記載の筆記用具。
【請求項１１】
筆記用具であって、
内部を備える筆記媒体リザーバと、
ペン先と、
前記筆記用具の部品と関連した高吸収性ポリマーとを有し、
該高吸収性ポリマーが、
前記筆記用具の望ましい部分から前記筆記用具内の望ましくない部分又は前記筆記用具の外部への筆記媒体の漏れを阻止するのに十分な量存在し、
通常の筆記用具の使用中、前記筆記媒体リザーバから前記ペン先への前記筆記媒体の所望の連通又は流れを実質的に邪魔せず、
前記筆記用具の１つの部品の少なくとも一部に被着された被膜、
前記筆記用具の１つの部品の少なくとも一部の境界部の内面と接触し又はそのすぐ隣りに設けられ、或いは、任意にこれにくっ付けられて配置された、ぎっしり詰まった状態の粒子、ぎっしり詰まった状態の粉末、ぎっしり詰まった状態のグラニュール又はゼラチン状の高吸収性材料の塊状体
のうちの１つ又は2つ以上として設けられた、
筆記用具。
【請求項１２】
筆記用具であって、
筆記媒体リザーバと、
ペン先と、
内面及び外面を備え、前記筆記用具の少なくとも前記ペン先を覆って着脱自在に設けられた筆記用具キャップとを有し、前記内面は、前記筆記用具が使用されていないときに前記ペン先を覆い、
高吸収性ポリマーとを有し、
該高吸収性ポリマーが、前記筆記用具キャップの前記内面からの筆記媒体の異常な又は望ましくない漏れを阻止するのに十分な量、前記筆記用具キャップの前記内面と関連している、
筆記用具。
【請求項１３】
筆記用具であって、
筆記媒体リザーバと、
ペン先と、
前記筆記用具の部品と関連した高吸収性ポリマーとを有し、
該高吸収性ポリマーが、前記筆記用具の望ましい部分から前記筆記用具内の望ましくない部分への筆記媒体の漏れを阻止するのに十分な量存在し、
前記筆記用具内に入れられる前記筆記媒体の最大量と前記筆記用具内の前記高吸収性ポリマーの総量との比は、少なくとも約５：１である、
筆記用具。
【請求項１４】
前記筆記用具内に入れられる前記筆記媒体の最大量と前記筆記用具内の前記高吸収性ポリマーの総量との比は、少なくとも約１０：１である、請求項１３記載の筆記用具。
【請求項１５】
前記筆記用具内に入れられる前記筆記媒体の最大量と前記筆記用具内の前記高吸収性ポリマーの総量との比は、少なくとも約２０：１である、請求項１４記載の筆記用具。
【請求項１６】
筆記用具であって、
筆記媒体リザーバと、
ペン先と、
前記筆記用具の部品と関連した高吸収性ポリマーと、
一時的インク貯蔵領域とを有し、該一時的インク貯蔵領域が、
前記ペン先と前記筆記媒体リザーバとの間に設けられ、
前記筆記媒体リザーバ内の空気圧の増大に起因して生じる異常に多い筆記媒体の流れを貯蔵するように構成されたバッフルを備え、
前記高吸収性ポリマーが、
前記筆記用具の望ましい部分から前記筆記用具内の望ましくない部分又は前記筆記用具の外部への筆記媒体の漏れを阻止するのに十分な量存在し、
前記バッフルに沿った、通常の筆記中、前記筆記媒体リザーバから前記ペン先への前記筆記媒体の流れを邪魔しない場所に設けられ、
前記バッフルが、
複数の互いに間隔を置いた環状要素又はフィンを有し、これらの間には、前記筆記媒体を一時的に貯蔵することができる環状空間が形成され、
前記フィンを長手方向に延びる幅の狭いスリットを有し、該スリットが、前記インク移送部材を介して前記筆記媒体リザーバから前記環状空間に前記筆記媒体を連絡させ、前記環状空間を互いに連通させるためのインク溝を構成し、
前記フィンに長手方向に形成された、前記インク溝よりも幅が広い溝を有し、該溝が、前記筆記媒体が消費されたときに空気を前記バッフルに設けられた空気抜き穴から前記筆記媒体リザーバに連通させるための空気溝を構成する、
筆記用具。